(57)【要約】【課題】潜水士が浮上する際に待機時間を確認する負担を軽減できる潜水士の浮上管理装置および方法を提供する。【解決手段】予め設定された水深の領域に継続タイプの入力手段６、浮上許可表示灯７および警告灯８を配置するとともに、これらが接続される制御装置２を作業船１４に配置しておき、潜水士による入力手段６からの信号の入力に基づいて制御装置２が、予め設定された基準時間のカウントダウンを開始するとともに、入力手段６からの信号の入力が続いている間は基準時間のカウントダウンを継続して基準時間が経過した際には浮上許可表示灯７を点灯させ、基準時間が経過する前に入力手段６からの信号の入力が途絶えた場合には警告灯８を点灯させる。【選択図】    図１
2010132163.tif 000002
【特許請求の範囲】
【請求項１】
予め設定された水深の領域に配置される継続タイプの入力手段、浮上許可表示灯および警告灯を有するとともに、これらが接続される制御装置を備え、前記入力手段からの信号の入力に基づいて前記制御装置が、予め設定された基準時間のカウントダウンを開始するとともに、前記入力手段からの信号の入力が続いている間は前記基準時間のカウントダウンを継続して基準時間が経過した際には前記浮上許可表示灯を点灯または消灯させ、前記基準時間が経過する前に入力手段からの信号の入力が途絶えた場合には前記警告灯を点灯または消灯させる構成にした潜水士の浮上管理装置。
【請求項２】
前記基準時間が経過する前に入力手段からの信号の入力が途絶えた場合に、予め設定した許容時間内に前記入力手段からの新たな信号の入力があった場合には、前記制御装置が前記入力手段からの信号の入力が途絶えることなく続いていると判断する構成にした請求項１に記載の潜水士の浮上管理装置。
【請求項３】
水上に設置する状況表示灯を有し、前記入力手段からの信号の入力に基づいて前記制御装置が、この状況表示灯の点灯または消灯の制御をする構成にした請求項１または２に記載の潜水士の浮上管理装置。
【請求項４】
前記入力手段が、水上から水中に吊り下げられる下がり綱に取り付けられた止まり木の上に設置されるマットスイッチである請求項１〜３のいずれかに記載の潜水士の浮上管理装置。
【請求項５】
予め設定された水深の領域に継続タイプの入力手段、浮上許可表示灯および警告灯を配置するとともに、これらが接続される制御装置を水上に配置しておき、潜水士の前記入力手段から信号の入力に基づいて前記制御装置が、予め設定された基準時間のカウントダウンを開始するとともに、前記入力手段からの信号の入力が続いている間は前記基準時間のカウントダウンを継続して基準時間が経過した際には前記浮上許可表示灯を点灯または消灯させ、前記基準時間が経過する前に入力手段からの信号の入力が途絶えた場合には前記警告灯を点灯または消灯させる潜水士の浮上管理方法。
【請求項６】
前記基準時間が経過する前に入力手段からの信号の入力が途絶えた場合に、予め設定した許容時間内に前記入力手段からの新たな信号の入力があった場合には、前記制御装置が前記入力手段からの信号の入力が途絶えることなく続いていると判断する請求項５に記載の潜水士の浮上管理方法。
【請求項７】
前記入力手段からの信号の入力に基づいて前記制御装置が、水上に設置した状況表示灯を点灯または消灯させる請求項５または６に記載の潜水士の浮上管理方法。
【発明の詳細な説明】
【技術分野】
【０００１】
本発明は、潜水士の浮上管理装置および方法に関し、さらに詳しくは、潜水士が浮上する際に待機時間を確認する負担を軽減できる潜水士の浮上管理装置および方法に関するものである。
【背景技術】
【０００２】
水中工事では、潜水士による作業が必要になることがある。潜水士が水深１０ｍ以上の場所で作業を行なう場合には減圧症を防ぐために、浮上する際に、所定水深で所定時間待機することが、高気圧作業安全衛生規則（以下、規則という）により義務付けられている。そのため、従来、潜水士は所定水深で所定時間待機したことを自らの時計で確認しなければならず、潜水士にとっては面倒な作業であった。
【０００３】
一方、この規則によって義務付けられた行動が正確に実施されていることを船上の第３者が確認することができる装置が提案されている（特許文献１参照）。しかしながら、この提案の装置では、船上の第３者が潜水士の行動を把握できるだけであり、所定水深で所定時間待機したか否かは、専ら潜水士の自己の時計による確認と、船上の連絡員の指示に頼っていた（段落[００１８]〜[００２０]参照）。そのため、この提案の装置では、待機時間を確認する潜水士の負担を軽減することはできなかった。
【特許文献１】特開２００８−１２０２０３公報
【発明の開示】
【発明が解決しようとする課題】
【０００４】
本発明の目的は、潜水士が浮上する際に待機時間を確認する負担を軽減できる潜水士の浮上管理装置および方法を提供することにある。
【課題を解決するための手段】
【０００５】
上記目的を達成するため本発明の潜水士の浮上管理装置は、予め設定された水深の領域に配置される継続タイプの入力手段、浮上許可表示灯および警告灯を有するとともに、これらが接続される制御装置を備え、前記入力手段からの信号の入力に基づいて前記制御装置が、予め設定された基準時間のカウントダウンを開始するとともに、前記入力手段からの信号の入力が続いている間は前記基準時間のカウントダウンを継続して基準時間が経過した際には前記浮上許可表示灯を点灯または消灯させ、前記基準時間が経過する前に入力手段からの信号の入力が途絶えた場合には前記警告灯を点灯または消灯させる構成にしたことを特徴とするものである。
【０００６】
ここで、前記基準時間が経過する前に入力手段からの信号の入力が途絶えた場合に、予め設定した許容時間内に前記入力手段からの新たな信号の入力があった場合には、前記制御装置が前記入力手段からの信号の入力が途絶えることなく続いていると判断する構成にすることもできる。水上に設置する状況表示灯を有し、前記入力手段からの信号の入力に基づいて前記制御装置が、この状況表示灯の点灯または消灯の制御をする構成にすることもできる。前記入力手段を、水上から水中に吊り下げられる下がり綱に取り付けられた止まり木の上に設置されるマットスイッチにすることもできる。
【０００７】
本発明の潜水士の浮上管理方法は、予め設定された水深の領域に継続タイプの入力手段、浮上許可表示灯および警告灯を配置するとともに、これらが接続される制御装置を水上に配置しておき、潜水士の前記入力手段から信号の入力に基づいて前記制御装置が、予め設定された基準時間のカウントダウンを開始するとともに、前記入力手段からの信号の入力が続いている間は前記基準時間のカウントダウンを継続して基準時間が経過した際には前記浮上許可表示灯を点灯または消灯させ、前記基準時間が経過する前に入力手段からの信号の入力が途絶えた場合には前記警告灯を点灯または消灯させることを特徴とするものである。
【０００８】
ここで、前記基準時間が経過する前に入力手段からの信号の入力が途絶えた場合に、予め設定した許容時間内に前記入力手段からの新たな信号の入力があった場合には、前記制御装置が前記入力手段からの信号の入力が途絶えることなく続いていると判断することもできる。前記入力手段からの信号の入力に基づいて前記制御装置が、水上に設置した状況表示灯を点灯または消灯させることもできる。
【発明の効果】
【０００９】
本発明によれば、予め設定された水深の領域に継続タイプの入力手段、浮上許可表示灯および警告灯を配置し、これらを制御装置に接続して、潜水士の入力手段から信号の入力に基づいて制御装置が、予め設定された基準時間のカウントダウンを開始するとともに、入力手段からの信号の入力が続いている間は基準時間のカウントダウンを継続して基準時間が経過した際には浮上許可表示灯を点灯または消灯させることにより、潜水士は、入力手段からの信号の入力を続けて浮上許可表示灯を目視しているだけで、所定水深で所定時間（基準時間）待機したことを把握することができるので、待機時間を確認するための負担が軽減する。
【００１０】
また、基準時間が経過する前に入力手段からの信号の入力が途絶えた場合には警告灯が点灯または消灯するので、潜水士は警告灯を目視することにより、所定水深で所定時間（基準時間）待機することなく誤って浮上してしまうことを防止できる。
【発明を実施するための最良の形態】
【００１１】
以下、本発明の潜水士の浮上管理装置および方法について図に示した実施形態に基づいて説明する。
【００１２】
図１、図２に例示するように、本発明の潜水士の浮上管理装置１（以下、浮上管理装置１という）は、予め設定された水深の領域に配置される継続タイプの入力手段６、浮上許可表示灯７および警告灯８を有するとともに、これらが接続される制御装置２を備えている。
【００１３】
予め設定された水深とは、規則によって規定された所定水深である。したがって、予め設定された水深毎（例えば、水深３ｍ、６ｍ、９ｍ毎）に、その水深の領域に入力手段６、浮上許可表示灯７および警告灯８が配置される。
【００１４】
この実施形態では、作業船１４から錘をつけて水中に吊り下げられた下がり綱１１の所定水深に該当する位置に止まり木１２が固定されている。例えば水深３ｍ、６ｍ、９ｍなど予め設定された水深に止まり木１２が配置され、それぞれの止まり木１２にはその水深が表示された水深表示板１３が取り付けられている。潜水士は水深表示板１３を目視することで、その位置の水深を確認することができる。
【００１５】
止まり木１２とは、潜水士が予め設定された水深で待機する際に、その上に立つことができる、或いは、座ることができるものであればよく、材質や形状は特に限定されない。また、下がり綱１１は作業船１４から吊り下げられるだけでなく、桟橋等の水上の固定構造物から水中に吊り下げられることもある。
【００１６】
それぞれの止まり木１２の上方近傍位置には、固定フレーム９が下がり綱１１に固定されて配置されている。この固定フレーム９には入力手段６、浮上許可表示灯７および警告灯８が固定されている。これら入力手段６、浮上許可表示灯７、警告灯８はケーブルによって作業船１４に設置された制御装置２に接続されている。
【００１７】
本発明の継続タイプの入力手段６とは、所定の大きさ以上の圧力を付与している間は、信号を制御装置２に入力し続け、付与圧力が所定の大きさ未満になると、その信号の入力を中断する仕様のものをいう。例えば、入力手段６を押し続けている間はオン信号が継続して制御装置２に入力され、入力手段６の押圧を止めるとオン信号の入力が中断してオフ信号が入力された状態になるものである。
【００１８】
入力手段６としては、上記機能を有する防水仕様のスイッチ、センサ等を用いることができる。例えば、握ることによって信号が制御装置２に入力されるスイッチ、センサ等を用いる。
【００１９】
浮上許可表示灯７、警告灯８としては、防水仕様の種々の照明灯を用いることができ、例えば、ＬＥＤやハロゲンランプ等を使用する。浮上許可表示灯７と警告灯８とは両者を目視により識別可能にすることが必要であり、できるだけ目視識別が容易な仕様にする。
【００２０】
したがって、浮上許可表示灯７と警告灯８とは異なる色（発光色）にすることが好ましい。例えば、浮上許可表示灯７の色（発光色）は青色とし、警告灯８の色（発光色）は赤色とする。両者の色（発光色）の組み合わせはこれに限らず、その他の組み合わせにしてもよい。
【００２１】
尚、浮上許可表示灯７と警告灯８の色（発光色）が類似している場合には、両者を異なる形状にするなどによって目視識別可能にする。両者を異なる色（発光色）にするとともに、形状を異ならせるようにしてもよい。
【００２２】
制御装置２には入力手段６からの信号が入力され、この入力信号に基づいて浮上許可表示灯７および警告灯８の点灯と消灯の制御を行なう。また、制御装置２にはタイマー３が装備されていて、後述する基準時間の時間管理を行なう。
【００２３】
さらに、制御装置２には、リセットボタン４、状況表示ランプ５、状況表示灯１０が設けられている。リセットボタン４は、タイマー３による基準時間のカウントダウンを最初の状態にリセットするものである。状況表示ランプ５および状況表示灯１０は、入力手段６からの信号に基づいて制御装置２によって点灯または消灯が制御されるようになっている。状況表示灯１０は広範囲から目視できるように上方に突出した支持ポールの上に設置されていて、例えば、回転灯等を用いることができる。
【００２４】
本発明の潜水士の浮上管理方法は以下のとおりであり、図４にその方法のフローチャートを例示する。
【００２５】
潜水士は水上に浮上する際に、まず、図１に例示する最も深い水深に配置された止まり木１２で待機する。潜水士はその止まり木１２の上に立った状態、或いは座った状態で待機する。その際に、その水深領域に配置された入力手段６を押圧する（握る）。
【００２６】
これにより入力手段６から制御装置２に信号が入力される。この入力信号に基づいて制御装置２は予め設定された基準時間のカウントダウンを開始し、浮上許可表示灯７および警告灯８を消灯した状態にする。この基準時間は、規則によってその水深で待機すべき時間として規定された所定時間と同じ長さに設定しておく。
【００２７】
潜水士が入力手段６を押し続けて（握り続けて）制御装置２に信号が入力している間は、カウントダウンが継続し、そのまま基準時間が経過すると浮上許可表示灯７を点灯させる。潜水士が入力手段６を押し続けなければ制御装置２に信号が入力され続けないので、浮上許可表示灯７が点灯した時には、潜水士は、その水深に基準時間を満たすように待機していたと考えることができる。浮上許可表示灯７が点灯すると、潜水士はその点灯を目視確認して次の待機位置となる止まり木１２まで浮上する。
【００２８】
一方、基準時間が経過する前に、入力手段６からの制御装置２への信号入力が途絶えた場合には、警告灯８を点灯させるとともに、基準時間のカウントダウンを中止する。この場合は、潜水士は、その水深に待機していないと考えることができる。警告灯８が点灯すると、潜水士はその点灯により、その水深に基準時間を満たすように待機していないことを確認することができる。
【００２９】
警告灯８が点灯した際には、潜水士は再度、入力手段６を押し続けて基準時間が経過するまで、即ち、浮上許可表示灯７が点灯するまで、その水深で待機する。
【００３０】
上記の操作をそれぞれの水深において実施する。
【００３１】
これにより、規則を遵守して安全に水上まで浮上することができる。潜水士は、入力手段６を押し続け、浮上許可表示灯７が点灯するまでその水深で待機すればよいので、所定水深で所定時間（基準時間）待機したことを確認する負担が軽減する。
【００３２】
さらに、待機時間が不足している場合には、警告灯８が点灯して潜水士に注意が喚起されるので、所定水深で所定時間（基準時間）待機することなく誤って浮上してしまうことを防止できる。
【００３３】
基準時間をカウントダウンしている間、即ち、入力手段６から信号が入力されている間は、制御装置２の状況表示ランプ５が点灯する。また、浮上許可表示灯７の点灯に連動して、水上の状況表示灯１０が所定時間点灯する。したがって、水上では、状況表示ランプ５と状況表示灯１０によって、潜水士の状況を確認することができる。
【００３４】
尚、上記実施形態では、基準時間が経過すると浮上許可表示灯７を点灯させるようにしているが、基準時間が経過すると点灯していた浮上許可表示灯７を消灯させるように構成することもできる。予め、潜水士がこの内容を知っていれば、点灯していた浮上許可表示灯７が消灯すると、その水深に基準時間を満たすように待機していたと把握することができる。したがって、潜水士は浮上許可表示灯７の消灯を目視確認して次の待機位置となる止まり木１２まで浮上する。
【００３５】
また、基準時間を経過する前に、制御装置２への信号入力が途絶えた場合には、点灯していた警告灯８を消灯させるように構成することもできる。予め、潜水士がこの内容を知っていれば、点灯していた警告灯８が消灯すると、その水深に基準時間を満たすように待機していないと把握することができる。したがって、潜水士は、再度、入力手段６を押し続けて基準時間が経過するまでその水深で待機する。
【００３６】
上記の図４に例示したフローチャートに基づく方法では、潜水士がその水深に待機しているにも関わらず、不用意に入力手段６の押圧を解除した場合にも、基準時間のカウントダウンが中止される。そして、再度、入力手段６を押して新たな信号が制御装置２に入力された時点から新たに基準時間のカウントダウンが開始される。それ故、規則で規定された待機すべき所定時間を遵守することはできるが、その水深に必要以上長く留まることになる。
【００３７】
そこで、このような問題を解決するため、図５に例示するフローチャートに基づいた方法にすることもできる。この方法では、基準時間の経過前に入力手段６から制御装置２に信号の入力がない場合に直ちに警告灯８を点灯し、基準時間のカウントダウンを中止するのではなく、許容時間内に入力手段６から制御装置２に新たな信号の入力があったか否かを判断するようにしている。
【００３８】
この許容時間は、その水深に潜水士が待機しているにも関わらず、不用意に入力手段６の押圧を解除して、再度、入力手段６を押圧するまでに要する時間を設定する。したがって、許容時間は例えば１秒〜１０秒程度に設定する。
【００３９】
許容時間内に入力手段６から制御装置２に新たな信号の入力があった場合には、制御装置２が入力手段６からの信号の入力が途絶えることなく続いていると判断して、そのまま基準時間のカウントダウンを継続する。一方、許容時間内に入力手段６から制御装置２に新たな信号の入力がない場合には、警告灯８を点灯させるとともに、基準時間のカウントダウンを中止する。その他については、図４のフローチャートに基づく方法と同じである。
【００４０】
これにより、規則で規定された待機すべき所定時間を遵守しつつ、その水深に必要以上長く留まることを回避することができる。潜水士の疲労軽減にも寄与する。
【００４１】
浮上管理装置１は、図３に例示する仕様にすることもできる。この浮上管理装置１は、図２の浮上管理装置１に対して入力手段６および状況表示灯１０の仕様のみを変更したものである。
【００４２】
この浮上管理装置１では、止まり木１２の上に敷設された防水仕様のマットスイッチが入力手段６になっている。したがって、潜水士がマットスイッチの上に立っている間や座っている間は、入力手段６からの信号が制御装置２に入力され続け、潜水士がマットスイッチから離れると信号入力が途絶えることになる。これにより、止まり木１２（所定水深）で待機している間、潜水士は両手を自由に使えるというメリットがある。このマットスイッチは、図２に例示した浮上管理装置１に適用することもできる。
【００４３】
また、状況表示灯１０が複数の表示灯１０ａ、１０ｂ、１０ｃを上下に積層した構造になっている。それぞれの表示灯１０ａ、１０ｂ、１０ｃは個別に点灯および消灯する。これら表示灯１０ａ、１０ｂ、１０ｃは、異なる水深領域に配置される入力手段６に対応するように構成されている。例えば、最上段の表示灯１０ａは水深３ｍの領域に配置される入力手段６、中段の表示灯１０ｂは水深６ｍの領域に配置される入力手段６、最下段の表示灯１０ｃは水深９ｍの領域に配置される入力手段６に対応し、それぞれの入力手段６からの信号の入力に基づいて制御装置２によって点灯および消灯される。
【００４４】
これにより、水上の第３者は潜水士が待機している水深位置やその状況を明確に把握することが可能になる。この積層構造の状況表示灯１０は、図２に例示した浮上管理装置１に適用することもできる。
【００４５】
図３の浮上管理装置１においても、図４、図５で例示したいずれのフローチャートに基づいた方法を適用することができる。
【００４６】
また、本発明においては、入力手段６から制御装置２への信号（信号の入力時刻、信号の入力継続時間等）のデータは記憶媒体に記憶することができる。
【図面の簡単な説明】
【００４７】
【図１】本発明の潜水士の浮上管理装置の使用状態を例示する説明図である。
【図２】図１の潜水士の浮上管理装置を例示する全体概要図である。
【図３】図１の潜水士の浮上管理装置の変形例を示す全体概要図である。
【図４】本発明の潜水士の浮上管理方法のフローチャートを例示する説明図である。
【図５】本発明の潜水士の浮上管理方法の別のフローチャートを例示する説明図である。
【符号の説明】
【００４８】
１  浮上管理装置
２  制御装置
３  タイマー
４  リセットボタン
５  状況表示ランプ
６  入力手段
７  浮上許可表示灯
８  警告灯
９  固定フレーム
１０  状況表示灯
１１  下がり綱
１２  止まり木
１３  水深表示板
１４  作業船
【図１】
2010132163.tif 000003
【図２】
2010132163.tif 000004
【図３】
2010132163.tif 000005
【図４】
2010132163.tif 000006
【図５】
2010132163.tif 000007